(57)【要約】【課　題】ルーフィングが壁際のコーナ部分で浮き上がった状態で取付けられていても、捨水切装着時に押え込まれて破れるようなことがなく、そのためルーフィングを施工する際には、ルーフィングをコーナ部分で直角に折り曲げる必要がなく、施工が容易となり、また壁際に葺かれる平板瓦が半端な瓦であってもガタ付くことなく取付けられるような捨水切を提供する。【解決手段】捨水切２３を壁際のコーナに対応する箇所を角状に窪ませて段状に形成し、コーナ部分で浮き上がったルーフイング４と接触しないようにし、また壁際に葺かれる瓦が段２３ａで支持されるようにする。【選択図】　図５
2004003219.tif 000002
【特許請求の範囲】
【請求項１】
瓦葺き屋根の壁際の取合い部分に敷設されたルーフィング上に装着される捨水切において、壁際のコーナに対応する箇所を、円弧状、傾斜状又は凹状に形成したことを特徴とする捨水切。
【請求項２】
瓦葺き屋根が平板瓦による瓦葺き屋根で、捨水切の壁際のコーナに対応する箇所が角状に窪んで段状となっていることを特徴とする請求項１記載の捨水切。
【請求項３】
壁際で瓦を支持する段の上面が凹溝に向かって下向きに傾斜して形成されることを特徴とする請求項２記載の捨水切。
【発明の詳細な説明】
【０００１】
【発明が属する技術分野】
本発明は、例えば図１に示すＡ部やＢ部など壁際の取合い部分に設置される捨水切に関する。
【０００２】
【従来技術】
図２は、桟瓦１による瓦葺き屋根の壁際における取合い部分の構造を示すもので、その施工は通常、次のようにして行われる。
先ず、野地板３上にアスファルトルーフィング４を敷き、その一部を立上げて壁板５に添設し、ついで瓦桟木６を釘打ちして止着する。次に凹溝を備えた鋼板製の捨水切７を壁との取合い部分に装着し、その一側縁７ａを瓦桟木６に釘打ちして止着すると共に、壁に添設される立上がり部分７ｂに板８を当てゝ釘打し止着する。その後、瓦１を屋根端から壁際に向かって並べ、軒から棟に向かって瓦１を葺いたのち、或いは葺きながら壁際の瓦１上にモルタル９を介して熨斗瓦１１を重ね、笠木１２で押えて釘打ちにより止着したのちカラー鋼板１３を被せ、立上がり部を板１４で押えて壁板５に釘打ちにて止着している。図中、１５は外壁であり、１６は漆喰である。
【０００３】
図３は、平板瓦１８による瓦葺き屋根の取合い部分における構造を示すもので、図２に示すものと同様、野地板３上にアスファルトルーフィング４を敷き、瓦桟木６を釘打ちして止着する。次に捨水切７を取付けたのち、瓦１８を葺き、壁際の瓦１８上にスポンジ系のシーラ１９を装着して板８とシーラ１９上に笠木１２を取付けて釘打ちする。その後、カラー鋼板１３を被せて釘打ちにより止着している。図中、２０は防水テープを示す。
【０００４】
【発明が解決しようとする課題】
壁際にルーフィングを施工する際、図２及び図３に示すように、ルーフィング４をコーナ部分で直角に折り曲げにくゝ、往々にして図４及び図５に示すようにコーナで浮いた状態になりがちである。この状態で捨水切を装着すると、コーナ側が浮いた状態となるが、浮かないように強く押え込んで取付けようとすると、捨水切のコーナでルーフィングが破れることがある。
【０００５】
本発明の第１の目的は、壁際の取合い部分にルーフィングを施工する際、壁とのコーナ部分でルーフィングが浮いた状態となっていても捨水切を支障なく装着することができ、もってルーフィングの施工を容易にすることができる捨水切を提供することを目的とする。
【０００６】
本発明の第２の目的は、第１の目的に加え、平板瓦を施工するのに特に適した捨水切を提供することを目的とする。
【０００７】
【課題の解決手段】
請求項１に係わる発明は、第１の目的を達成する捨水切に関するもので、瓦葺き屋根の壁際の取合い部分に敷設されたルーフィング上に装着され、凹溝を備えた捨水切において、壁際のコーナに対応する箇所を、円弧状、傾斜状又は凹状に形成したことを特徴とする。
【０００８】
本発明によると、壁際のコーナ部分でルーフィングが浮いた状態となっていても、捨水切の対応箇所が円弧状、傾斜状又は凹状になっていると、捨水切装着時に円弧状又は傾斜状部分がルーフィングを押え込んだとしても応力集中が生じなくなり、ルーフィングに破れを生じにくい。対応箇所が凹状になっている場合には、ルーフィングが凹部内に入り込んでも捨水切と接触することがなくなり、該箇所でルーフィングに破れを生ずることはない。
【０００９】
本発明において、凹状とは、例えば円弧状又は角状に窪んでいるものをいゝ、角状に窪んでいる場合には段状を呈する。
【００１０】
請求項２に係わる発明は、第２の目的を達成する捨水切に関するもので、請求項１に係わる発明において、瓦葺き屋根が平板瓦による瓦葺き屋根で、捨水切の壁際のコーナに対応する箇所が角状に窪んで段状となっていることを特徴とする。
本発明によると、壁際で瓦が捨水切の段によって支持されるようになるため、瓦の支持が安定し、ガタ付きが防止される。
【００１１】
請求項３に係わる発明は、請求項２に係わる発明において、壁際で瓦を支持する段の上面が凹溝に向かって下向きに傾斜して形成されることを特徴とする。
本発明によると、水が段上面に侵入した場合、凹溝内に流れ込み易くなり、段上面に溜まるおそれが解消される。
【００１２】
【発明の実施の形態】
図４は、図２に示す壁際の取合い部分に装着される捨水切７を、壁際のコーナに対応する箇所２１ａを円弧状にした捨水切２１としたものである。
本実施形態によると、ルーフィング４が壁際のコーナ部分で図示するように浮き上がっていても捨水切２１装着時に押え込まれて破れるようなことがない。したがってルーフィング４を施工する際には、ルーフィング４をコーナ部分で直角に折り曲げる必要がなく、施工が容易となる。
【００１３】
図５は、図３に示す取合い部分に装着される捨水切７を、壁２１際のコーナに対応する箇所２３ａを角状に窪ませて段状にした捨水切２３としたもので、段２３ａの高さは、瓦１８の裏面形状によって変えられる。
本実施形態によると、ルーフィング４がコーナ部分で図示するように浮き上がっていても捨水切２３の装着に何等支障がなく、ルーフィング４の施工も容易となる。また壁際に葺かれる瓦１８が段２３ａによって支持されるため、図示するように半端な瓦であっても支持状態が安定し、ガタ付きを生ずることはない。
【００１４】
図６は、図５に示す段２３ａの上面２３ｂを捨水切２３の凹溝２３ｃに向かって下向きに傾斜して形成したもので、図７に示すように段上面２３ｂに水が侵入しても溜まることなく矢印方向に流れ、凹溝２３ｃ内に流入するようになる。
【００１５】
【発明の効果】
請求項１に係わる発明によると、ルーフィングが壁際のコーナ部分で浮き上がった状態で取付けられていても、捨水切装着時に押え込まれて破れるようなことがなく、そのためルーフィングを施工する際には、ルーフィングをコーナ部分で直角に折り曲げる必要がなく、施工が容易となる。
【００１６】
請求項２に係わる発明によると、壁際に葺かれる平板瓦が半端な瓦であっても、捨水切の段で支持されるようになるため、ガタ付くことなく、取付状態が安定する。
【図面の簡単な説明】
【図１】瓦葺き屋根の外観を示す斜視図。
【図２】桟瓦で葺かれた屋根の取合い部分の従来構造を示す断面図。
【図３】平板瓦で葺かれた屋根の取合い部分の従来構造を示す断面図。
【図４】桟瓦で葺かれた屋根の取合い部分の本発明に係わる構造を示す断面図。
【図５】平板瓦で葺かれた屋根の取合い部分の本発明に係わる構造を示す断面図。
【図６】図５の変形態様を示す断面図。
【図７】同斜視図。
【符号の説明】
１・・桟瓦
３・・野地坂
４・・ルーフィング
５・・壁板
６・・瓦桟木
７、２１、２３・・捨水切
８、１４・・板
９・・モルタル
１１・・熨斗瓦
１２・・笠木
１３・・カラー鋼板
１６・・漆喰
１８・・平板瓦
１９・・シーラ
２０・・防水テープ
【図１】
2004003219.tif 000003
【図２】
2004003219.tif 000004
【図３】
2004003219.tif 000005
【図４】
2004003219.tif 000006
【図５】
2004003219.tif 000007
【図６】
2004003219.tif 000008
【図７】
2004003219.tif 000009